(57)【要約】  【課題】複数の測光領域に対応させて複数の輝度情報を表示するカメラを得る。  【解決手段】カメラボディ１の拡散スクリーン１１に重ねてオンスクリーン表示素子１０を設け、拡散スクリーン１１上に結像された被写体像に重ねて最高輝度および最高輝度から所定範囲内の輝度領域、および最低輝度および最低輝度から所定範囲内の輝度領域をそれぞれオンスクリーン表示する。最高輝度を含む輝度領域および最低輝度を含む輝度領域のそれぞれのわきに、適正露出に対する露出偏差を示す数値表示を行う。最高輝度を含む輝度領域および最低輝度を含む輝度領域の表示露出幅を可変にする。  【選択図】図１
2005078002.tif 000002
【特許請求の範囲】
【請求項１】
撮影画面の複数の領域でそれぞれ輝度を検出する輝度検出手段と、
前記輝度検出手段による前記複数の領域の検出値を用いて少なくとも２つの領域に対応する輝度情報を生成する輝度情報生成手段と、
被写体像を観察するためのファインダー光学系と、
前記輝度情報生成手段による輝度情報を表示するオンスクリーン表示手段と、
前記２つの領域および前記輝度情報が対応するように前記被写体像と前記オンスクリーン表示手段による表示情報とをオンスクリーン合成する合成手段とを備えることを特徴とするカメラ。
【請求項２】
請求項１に記載のカメラにおいて、
前記輝度情報生成手段は、最高輝度を含む領域および最低輝度を含む領域のそれぞれに対応させて輝度情報を生成することを特徴とするカメラ。
【請求項３】
請求項２に記載のカメラにおいて、
前記輝度情報生成手段は、前記最高輝度および当該最高輝度から所定範囲の輝度を含む領域の組、および前記最低輝度および当該最低輝度から所定範囲の輝度を含む領域の組のそれぞれに対応させて輝度情報を生成することを特徴とするカメラ。
【請求項４】
請求項３に記載のカメラにおいて、
前記輝度検出手段による前記複数の領域の検出値を用いて所定の露出演算を行う露出演算手段をさらに備え、
前記輝度情報生成手段は、前記露出演算手段による演算結果と前記最高輝度との偏差、および前記演算結果と前記最低輝度との偏差を前記輝度情報に含めることを特徴とするカメラ。
【請求項５】
請求項４に記載のカメラにおいて、
前記露出演算手段は、マニュアル露出演算を行うことを特徴とするカメラ。
【請求項６】
請求項１〜５のいずれかに記載のカメラにおいて、
前記オンスクリーン表示手段は、前記ファインダー光学系による視野に対応する表示領域に配列された複数の表示画素を有し、前記２つの領域のそれぞれに対応する表示画素群によって前記輝度情報を表示することを特徴とするカメラ。
【発明の詳細な説明】
【技術分野】
【０００１】
本発明は、撮影画面の複数領域で輝度を検出するカメラに関する。
【背景技術】
【０００２】
撮影画面を多数に分割し、分割された複数の領域に対応する複数ポイントでそれぞれ測光を行うマルチスポット測光が知られている。特許文献１には、オートフォーカス（ＡＦ）ポイントに対応する測光領域で測光を行うカメラについて記載されている。このカメラは、ＡＦポイントを選択すると、選択ＡＦポイントに対応する測光領域で得られる測光値を表示する。ＡＦポイントを変更すると、変更後のＡＦポイントに対応する測光領域で測光値を得た上で、前回の測光値との間で平均値をさらに算出して表示する。特許文献１のカメラはさらに、各ポイントによる測光値の平均値に対する分布を示すバー表示を行うことが開示されている。
【０００３】
【特許文献１】特開２０００−８１６４７号公報
【発明の開示】
【発明が解決しようとする課題】
【０００４】
特許文献１のカメラでは、表示内容から測光値と測光領域との対応関係が得られるのは、最新の測光値に対応する１つの測光領域のみである。すなわち、複数の測光領域に対応させて複数の輝度情報を示す表示を行うことができない。
【課題を解決するための手段】
【０００５】
本発明によるカメラは、撮影画面の複数の領域でそれぞれ輝度を検出する輝度検出手段と、輝度検出手段による複数の領域の検出値を用いて少なくとも２つの領域に対応する輝度情報を生成する輝度情報生成手段と、被写体像を観察するためのファインダー光学系と、輝度情報生成手段による輝度情報を表示するオンスクリーン表示手段と、２つの領域および輝度情報が対応するように被写体像とオンスクリーン表示手段による表示情報とをオンスクリーン合成する合成手段とを備えることを特徴とする。
上記輝度情報生成手段は、最高輝度を含む領域および最低輝度を含む領域のそれぞれに対応させて輝度情報を生成することもできる。
上記輝度情報生成手段は、最高輝度および当該最高輝度から所定範囲の輝度を含む領域の組、および最低輝度および当該最低輝度から所定範囲の輝度を含む領域の組のそれぞれに対応させて輝度情報を生成することもできる。この場合のカメラは、輝度検出手段による複数の領域の検出値を用いて所定の露出演算を行う露出演算手段を備えてもよく、輝度情報生成手段は、露出演算手段による演算結果と最高輝度との偏差、および演算結果と最低輝度との偏差を輝度情報に含めるようにしてもよい。
露出演算手段は、マニュアル露出演算を行うこともできる。
オンスクリーン表示手段は、ファインダー光学系による視野に対応する表示領域に配列された複数の表示画素を有し、２つの領域のそれぞれに対応する表示画素群によって輝度情報を表示することもできる。
【発明の効果】
【０００６】
本発明によるカメラでは、複数の測光領域に対応させて複数の輝度情報を表示できる。
【発明を実施するための最良の形態】
【０００７】
以下、図面を参照して本発明を実施するための最良の形態について説明する。
図１は、本発明の一実施の形態によるカメラの構成を示す図である。図１において、カメラボディ１に着脱可能な撮影レンズ２が装着されている。撮影レンズ２には、レンズ群および絞り１３が含まれている。カメラボディ１には、メインミラー３が備えられている。撮影レンズ２を通過した被写体光束Ｌは、レリーズ前にメインミラー３（破線で表示）によって図１の上方に折り曲げられ、拡散スクリーン１１上に一旦結像される。光束Ｌはさらに、ファインダー光学系を構成するペンタプリズム２７および接眼レンズ１２を通して撮影者の目に到達する。
【０００８】
拡散スクリーン１１には、オンスクリーン表示素子１０が拡散スクリーン１１に重ねて配設されている。オンスクリーン表示素子１０は、拡散スクリーン１１上に結像された像に対応する表示領域に表示画素が複数個配列された透過型液晶表示素子によって構成される。オンスクリーン表示素子１０による表示は、拡散スクリーン１１上に結像された被写体像に重ねてオンスクリーン合成され、上述したペンタプリズム２７および接眼レンズ１２を通して撮影者によって観察される。
【０００９】
ペンタプリズム２７の下部にはファインダー内表示素子２５が配設されている。ファインダー内表示素子２５は、たとえば、液晶表示素子によって構成される。ファインダー内表示素子２５による表示は、光学系１４、上述したペンタプリズム２７および接眼レンズ１２を通して撮影者によって観察される。
【００１０】
拡散スクリーン１１によって拡散された光束Ｌの一部は、ペンタプリズム２７および集光レンズ８を通り、露出演算用測光回路９内の測光素子上に再結像される。測光素子は、たとえば、ＣＣＤイメージセンサによって構成される。
【００１１】
メインミラー３はハーフミラーであり、一部の光束Ｌを透過する。メインミラー３を透過した光束Ｌの一部は、サブミラー４（破線で表示）によって図１の下方に折り曲げられ、カメラボディ１の底部に配設されている焦点検出回路７内の光電変換素子へ導かれる。光電変換素子はＣＣＤイメージセンサによって構成されている。光電変換素子は、撮影画面の所定の焦点検出領域（フォーカスポイント）に対応して一対の像を撮像する。一対の像の撮像信号は、光電変換素子から電荷蓄積信号として読み出され、焦点検出回路７の演算回路（不図示）へ送られる。この演算回路は、光電変換素子による検出信号を用いて一対の像の間隔を求めることによって撮影レンズ２のデフォーカス量、すなわち、焦点ずれ量を算出する焦点検出演算を行い、演算結果を後述するカメラＣＰＵへ送出する。
【００１２】
カメラがレリーズ操作されると、メインミラー３が上方に跳ね上げられて被写体光束Ｌの光路から退避する（実線で表示）。絞り１３が所定の絞り値に絞り込まれ、シャッタ６が所定時間開口制御される結果、被写体光束Ｌによる像がシャッタ６を介して感光部材である撮像媒体５上に結像する。
【００１３】
図２は、図１のカメラの制御系を説明するブロック図である。図２において、図１と共通のブロックには図１と同一番号の符号が記されている。カメラ全体のシーケンス制御を行うカメラＣＰＵ２６は、各ブロックから出力される信号を入力して所定の演算を行い、演算結果に基づいて制御信号を各ブロックへ出力する。
【００１４】
スイッチセンス回路１５は、カメラボディ１に配設されている各種操作部材からの操作信号に対応する操作情報をカメラＣＰＵ２６へ出力する。操作部材には、コマンドダイアル１６、露出モードボタン１７、表示露出幅切替ボタン１８、半押しスイッチ１９および全押しスイッチ２０が含まれている。
【００１５】
コマンドダイアル１６は、１４クリック分回転操作されると１回転するように構成されている。コマンドダイアル１６は、回転操作に応じて操作量（クリック数）および回転方向を示す信号をスイッチセンス回路１５へ出力する。露出モードボタン１７は、押下操作されるとスイッチセンス回路１５へ操作信号を出力し、押下操作が解除されると操作信号を解除する。表示露出幅切替ボタン１８は、押下操作されるとスイッチセンス回路１５へ操作信号を出力し、押下操作が解除されると操作信号を解除する。
【００１６】
半押しスイッチ１９は、不図示のレリーズボタンの押し下げ操作に連動してオン／オフするスイッチである。半押しスイッチ１９は、レリーズボタンが半押し位置より深く押下されるとオンして操作信号をスイッチセンス回路１５へ出力し、レリーズボタンの押し下げが半押し位置より浅くなるとオフして操作信号の出力を解除する。カメラＣＰＵ２６は、スイッチセンス回路１５から半押し操作を示す操作情報が入力されると、焦点検出回路７から入力されている焦点ずれ量に応じて合焦位置までのレンズ駆動量を演算し、不図示のレンズ駆動装置にフォーカスレンズの駆動を指示する。カメラＣＰＵ２６はさらに、露出演算用測光回路９からの輝度情報に基づいて、後述するオンスクリーン表示ドライバ回路２２へ輝度情報表示を行うように指示する。
【００１７】
全押しスイッチ２０は、不図示のレリーズボタンの押し下げ操作に連動してオン／オフするスイッチである。全押しスイッチ２０は、レリーズボタンが半押し位置よりさらに深い全押し位置まで押下されるとオンして操作信号をスイッチセンス回路１５へ出力し、レリーズボタンの押し下げが全押し位置より浅くなるとオフして操作信号の出力を解除する。カメラＣＰＵ２６は、スイッチセンス回路１５から全押し操作を示す操作情報が入力されると、撮影シーケンスを開始させる。すなわち、メインミラー３を上方に跳ね上げ、絞り１３を所定の絞り値まで絞り込み、シャッタ６を開口制御する。
【００１８】
カメラＣＰＵ２６は、露出モードボタン１７が押下されている状態でコマンドダイアル１６が時計回りに回転操作されていることを示す操作情報がスイッチセンス回路１５から入力されると、操作情報に応じて露出モードをＭ（マニュアルモード）→Ａ（絞り優先オートモード）→Ｓ（シャッタ優先オートモード）→Ｐ（プログラムオートモード）→Ｍ→…の順にサイクリックに切り替える。一方、カメラＣＰＵ２６は、露出モードボタン１７が押下されている状態でコマンドダイアル１６が反時計回りに回転操作されていることを示す操作情報がスイッチセンス回路１５から入力されると、操作情報に応じて露出モードをＭ（マニュアルモード）→Ｐ（プログラムオートモード）→Ｓ（シャッタ優先オートモード）→Ａ（絞り優先オートモード）→Ｍ→…の順にサイクリックに切り替える。
【００１９】
カメラＣＰＵ２６は、表示露出幅切替ボタン１８が押下されている状態でコマンドダイアル１６が時計回りに回転操作されていることを示す操作情報がスイッチセンス回路１５から入力されると、操作情報に応じて表示露出幅を０段→０．３段→０．７段→１段→…、３．０段→０段→…の順にサイクリックに切り替える。カメラＣＰＵ２６は、表示露出幅切替ボタン１８が押下されている状態でコマンドダイアル１６が反時計回りに回転操作されていることを示す操作情報がスイッチセンス回路１５から入力されると、操作情報に応じて表示露出幅を０段→３．０段→２．７段→２．３段→…、０．３段→０段→…の順にサイクリックに切り替える。なお、表示露出幅については後述する。
【００２０】
露出制御用測光回路９は、上述したようにＣＣＤイメージセンサからなる測光素子を有し、この測光素子は縦ｎ画素×横ｍ画素で構成されている。露出制御用測光回路９は、測光素子の各画素に対応してそれぞれの輝度情報をカメラＣＰＵ２６へ送出する。つまり、露出制御用測光回路９は、撮影画面をｎ×ｍ個の領域に分割して輝度情報を得るように構成されている。
【００２１】
ＩＳＯ感度検出回路２１は、撮像媒体５（図１）からＩＳＯ感度を示す情報を読みとり、読みとったＩＳＯ感度情報をカメラＣＰＵ２６へ送出する。焦点検出回路７は、上述したフォーカスポイントに対応する焦点ずれ量を演算し、演算結果をカメラＣＰＵ２６へ送出する。フォーカスポイントは、撮影画面の中央に位置するフォーカスポイントａと、フォーカスポイントａに対して上下左右のそれぞれに位置するフォーカスポイントｂ、ｃ、ｄ、およびｅの合計５つが設けられている。
【００２２】
シャッタ６は、カメラＣＰＵ２６からの指令により、不図示の先幕および後幕の保持および解除のタイミングを制御し、撮像媒体５（図１）に対する露光時間を制御する。
【００２３】
オンスクリーン表示ドライバ回路２２は、カメラＣＰＵ２６からの指令により、オンスクリーン表示素子１０に対する表示制御を行う。オンスクリーン表示素子１０は、上述したように透過型液晶表示素子であり、縦ｘ画素×横ｙ画素（ただし、ｘ＞ｎ、ｙ＞ｍが好ましい）で構成されている。たとえば、オンスクリーン表示ドライバ回路２２がファインダー視野において上記５つのフォーカスポイントａ〜ｅに対応するマークを示す画素の透過率を他の画素に比べて低くするように表示制御信号を出力する。これにより、拡散スクリーン１１上に結像されている被写体像の中で５つのフォーカスポイントマークが暗く観察されるので、撮影者はファインダー視野におけるフォーカスポイントの位置を知ることができる。
【００２４】
液晶ドライバ回路２４は、カメラＣＰＵ２６からの指令により、ファインダー内表示素子２５に対する表示制御を行う。ファインダー内表示素子２５は、所定の表示セグメントを点灯させて表示を行う表示素子であり、シャッター速度値、絞り値、露出インジケータなどを表示する。液晶ドライバ回路２４が所定の表示セグメントを点灯するように表示制御信号を出力すると、ファインダー内表示素子２５が対応する表示セグメントを発光させる。
【００２５】
撮影レンズ２は、カメラＣＰＵ２６から絞り制御信号を受信すると、絞り１３を所定の絞り値まで絞り込む。撮影レンズ２はレンズＣＰＵ１０１を有し、レンズＣＰＵ１０１がカメラＣＰＵ２６と通信を行うことにより、撮影レンズ２の情報をカメラボディ１へ送信するように構成されている。エンコーダ１０２は、撮影レンズ２に設定されている撮影距離を検出してレンズＣＰＵ１０１へ送出する。レンズＲＯＭ１０３は、撮影レンズ２の開放絞り値、射出瞳距離の誤差などのレンズ情報を格納し、レンズＣＰＵ１０１からの読み出し要求に応じて当該情報をレンズＣＰＵ１０１へ送出する。
【００２６】
本発明は、上記のカメラにおいてオンスクリーン表示素子１０で輝度情報表示を行うものである。
【００２７】
図３は、カメラＣＰＵ２６で行われるカメラ動作処理の流れを説明するフローチャートである。図３による処理を行うプログラムは、カメラボディ１のメインスイッチ（不図示）がオン、もしくは省電力動作時に半押し操作されることによって起動する。省電力動作は、スイッチセンス回路１５からの操作情報を検出する処理を除く動作を停止し、カメラの消費電力を削減する動作モードである。省電力動作は、半押し操作が所定時間継続して行われない場合に行われる。
【００２８】
図３のステップＳ１において、カメラＣＰＵ２６は、各ブロックに対する初期設定を行ってステップＳ２へ進む。ステップＳ２において、カメラＣＰＵ２６は、半押しタイマを初期化してステップＳ３へ進む。これにより、半押しタイマの計時が開始される。半押しタイマは、上記省電力動作を行うため、所定時間を計時するものである。
【００２９】
ステップＳ３において、カメラＣＰＵ２６はレンズＣＰＵ１０１と通信を行い、撮影レンズ２の情報を取得してステップＳ４へ進む。ステップＳ４において、カメラＣＰＵ２６は、露出演算用測光回路９からｎ×ｍ個の領域に対応する輝度情報（測光データ）を取得してステップＳ５へ進む。ステップＳ５において、カメラＣＰＵ２６は、ＩＳＯ感度検出回路２１からＩＳＯ感度データを取得してステップＳ６へ進む。
【００３０】
ステップＳ６において、カメラＣＰＵ２６は、所定の測光演算（露出演算）を行ってステップＳ７へ進む。たとえば、露出モードがＰ（プログラムオートモード）に設定されている場合は、カメラＣＰＵ２６は制御シャッタ速度値および制御絞り値を決定する。露出モードがＳ（シャッタ優先オートモード）に設定されている場合は、カメラＣＰＵ２６は制御絞り値を決定する。露出モードがＡ（絞り優先オートモード）に設定されている場合は、カメラＣＰＵ２６は制御シャッタ速度値を決定する。露出モードがＭ（マニュアルモード）に設定されている場合は、カメラＣＰＵ２６は設定されている露出条件と適正露出との偏差を算出する。
【００３１】
ステップＳ７において、カメラＣＰＵ２６は、焦点検出回路７から撮影レンズ２の焦点ずれ量を示すデータを取得してステップＳ８へ進む。この段階では、フォーカスレンズ（不図示）を合焦位置まで進退駆動させるフォーカシング動作は行わない。ステップＳ８において、カメラＣＰＵ２６は、測光値ロックフラグの有無を判定する。測光値ロックフラグは、オンスクリーン表示素子１０による輝度情報表示（後述するステップＳ１５）を行った場合にセットするフラグであり、オンスクリーン表示素子１０による輝度情報表示をマニュアルモード時における半押し操作後に１度だけ行うために設けられたフラグである。カメラＣＰＵ２６は、測光値ロックフラグがセットされている場合にステップＳ８を肯定判定してステップＳ１０へ進み、測光値ロックフラグがクリアされている場合にステップＳ８を否定判定し、ステップＳ９へ進む。
【００３２】
ステップＳ９において、カメラＣＰＵ２６は、オンスクリーン表示ドライバ回路２２および液晶ドライバ回路２４にそれぞれ表示制御指令を出力してステップＳ１１へ進む。図４は、接眼レンズ１２を通して観察されるオンスクリーン合成後の被写体像と、ファインダー内表示素子２５による表示とを説明する図である。
【００３３】
図４において、ファインダー視野３１における主要被写体は、夕日に染まる山を背景にした２人の人物である。２人の人物は画面中央より左に位置し、夕日は画面右上に位置する。画面中央とその上下左右には、上述した５つのフォーカスポイントａ〜ｅに対応するマーク３２ａ〜３２ｅがオンスクリーン表示素子１０によってそれぞれオンスクリーン表示されている。このうち、選択操作によって選択されているフォーカスポイントに対応するフォーカスポイントマークが１番目立つように表示される。なお、ファインダー視野３１の左側の文字ｈ１〜ｈｎおよび対応する横線と、ファインダー視野３１の上側の文字ｖ１〜ｖｍの文字および対応する縦線は、それぞれ露出制御用測光回路９内の測光素子の分割数（ｎ×ｍ）を便宜上示したものであり、実際には表示されていない。
【００３４】
ファインダー内表示素子２５による表示は、ファインダー視野３１の下部に位置する。ファインダー内表示素子２５には、合焦状態を示す合焦マークセグメント３０１と、シャッタ速度値を示すセグメント群３０２と、絞り値を示すセグメント群３０３と、露出偏差を示す露出インジケータ用のセグメント群３０４と、露出補正を行うように設定されていることを示すセグメント群３０５と、閃光装置が発光可能に設定されていることを示す閃光マークセグメント３０６とが含まれている。
【００３５】
合焦マークセグメント３０１は、選択されているフォーカスポイントに対応するデータが示す焦点ずれ量が所定範囲以下の場合（合焦時）に点灯される。合焦マークセグメント３０１の点灯制御指令は後述するステップＳ１９で出力される。セグメント群３０２および３０３は、以下のように点灯制御される。露出モードがＰ（プログラムオートモード）のとき、制御絞り値および制御シャッタ速度値を点灯表示する。露出モードがＳ（シャッタ優先オートモード）のとき、設定されているシャッタ速度値および制御絞り値を点灯表示する。露出モードがＡ（絞り優先オートモード）のとき、制御シャッタ速度値および設定されている絞り値を点灯表示する。露出モードがＭ（マニュアルモード）に設定されている場合は、設定されているシャッタ速度値および絞り値を点灯表示する。
【００３６】
セグメント群３０４は、露出モードがＭ（マニュアルモード）に設定されている場合に、露出偏差に応じて点灯表示される。露出偏差は、露出演算用測光回路９から取得した画面全体の輝度情報（測光データ）から算出される適正露出と、設定されている露出条件との偏差である。セグメント群３０５および閃光マークセグメント３０６は、設定内容に応じて点灯制御される。
【００３７】
図３のステップＳ１０において、カメラＣＰＵ２６は、オンスクリーン表示ドライバ回路２２および液晶ドライバ回路２４にそれぞれ表示制御指令を出力してステップＳ１１へ進む。この場合には、セグメント群３０２〜３０５による表示をそのまま継続するとともに、フォーカスポイントが変更された場合には変更後のフォーカスポイントに対応するフォーカスポイントマークをオンスクリーン表示素子１０で表示する。すなわち、ステップＳ１０では測光演算結果に関する表示を更新しないで継続し、焦点検出（ＡＦ）処理に関する表示のみを更新する。
【００３８】
ステップＳ１１において、カメラＣＰＵ２６は、半押しタイマ時間があらかじめ設定されている所定時間を経過したか否かを判定する。カメラＣＰＵ２６は、所定時間が経過した場合にステップＳ１１を肯定判定し、省電力動作を開始して図３による処理を終了する。一方カメラＣＰＵ２６は、所定時間が未経過の場合にステップＳ１１を否定判定し、ステップＳ１２へ進む。
【００３９】
ステップＳ１２において、カメラＣＰＵ２６は、半押しスイッチがオンか否かを判定する。カメラＣＰＵ２６は、スイッチセンス回路１５から半押し操作を示す操作情報が入力された場合にステップＳ１２を肯定判定してステップＳ１３へ進み、スイッチセンス回路１５から半押し操作を示す操作情報が入力されていない場合にステップＳ１２を否定判定し、ステップＳ１７へ進む。
【００４０】
ステップＳ１３において、カメラＣＰＵ２６は、露出モード判定を行う。カメラＣＰＵ２６は、露出モードがＭ（マニュアルモード）に設定されている場合にステップＳ１４へ進み、露出モードがＭ以外に設定されている場合にステップＳ１９へ進む。ステップＳ１４において、カメラＣＰＵ２６は、測光値ロックフラグの有無を判定する。カメラＣＰＵ２６は、測光値ロックフラグがセットされている場合にステップＳ１４を肯定判定してステップＳ１９へ進み、測光値ロックフラグがクリアされている場合にステップＳ１４を否定判定し、ステップＳ１５へ進む。
【００４１】
ステップＳ１５において、カメラＣＰＵ２６は、本発明による輝度情報表示、すなわち、新表示処理を行ってステップＳ１６へ進む。図５は、新表示処理後に接眼レンズ１２を通して観察されるオンスクリーン合成後の被写体像と、ファインダー内表示素子２５による表示とを説明する図である。
【００４２】
図５において、ファインダー視野３１における主要被写体は、図４の場合と同一である。オンスクリーン表示素子１０は、画面中央とその上下左右の５つのフォーカスポイントマーク３２ａ〜３２ｅをそれぞれオンスクリーン表示する。選択操作によって選択されているフォーカスポイントに対応するフォーカスポイントマークを１番目立たせる点は図４の場合と同様である。
【００４３】
オンスクリーン表示素子１０は、フォーカスポイントマーク３２ａ〜３２ｅに加えて以下の輝度情報を表示する。すなわち、露出演算用測光回路９から取得したｎ×ｍ個の領域に対応する輝度情報（測光データ）のうち、最高輝度および最高輝度から所定輝度範囲（たとえば、−１．３段）のデータに対応する領域３３ａ（図５の例では夕日の周辺）と、最低輝度および最低輝度から所定輝度範囲（たとえば、＋１．３段）のデータに対応する領域３４ａ（図５の例では二人の人物の影部）とを示す複数の画素の透過率をそれぞれ他の画素に比べて低くし、拡散スクリーン１１上に結像されている被写体像の中で上記２つの輝度範囲に対応する領域３３ａ、３４ａを暗くオンスクリーン表示する。したがって、撮影者はファインダー視野３１における最高輝度領域および最低輝度領域を知ることができる。なお、所定輝度範囲は上述した表示露出幅に対応する。
【００４４】
オンスクリーン表示素子１０はさらに、適正露出に対する最高輝度の露出偏差を示す数値表示３３ｂと、適正露出に対する最低輝度の露出偏差を示す数値表示３４ｂとをそれぞれの領域のわきに表示する。数値表示については、数値に対応する画素の透過率を変化させて行う。図５の例では、最高輝度の露出偏差が「＋３．５」であり、領域３３ａは露出偏差が「＋３．５〜＋２．２」の範囲であることを示している。また、領域３４ａは露出偏差が「−０．７〜−２．０」の範囲であることを示している。なお、ファインダー視野３１の左側の文字ｈ１〜ｈｎおよび対応する横線と、ファインダー視野３１の上側の文字ｖ１〜ｖｍの文字および対応する縦線は、それぞれ露出制御用測光回路９内の測光素子の分割数（ｎ×ｍ）を便宜上示したものであり、実際には表示されていない。
【００４５】
図５の表示は露出モードがＭ（マニュアルモード）に設定されている場合に行われるので、ファインダー内表示素子２５のセグメント群３０２および３０３は、設定されているシャッタ速度値および絞り値を点灯表示する。ファインダー内表示素子２５のセグメント群３０４は、適正露出に対する画面全体の測光値との露出偏差を点灯表示する。
【００４６】
図３のステップＳ１６において、カメラＣＰＵ２６は、測光値ロックフラグをセットしてステップＳ１９へ進む。ステップＳ１４〜ステップＳ１６の処理により、オンスクリーン表示素子１０による輝度情報表示は半押し操作後に１度だけ行われ、半押し操作が継続されている間は輝度情報表示が維持される。
【００４７】
ステップＳ１９において、カメラＣＰＵ２６は、合焦判定を行う。カメラＣＰＵ２６は、選択されているフォーカスポイントに対応する焦点ずれ量が所定範囲以下の場合（合焦時）にステップＳ１９を肯定判定し、液晶ドライバ回路２４へ合焦マークセグメント３０１の点灯を指示してステップＳ２０へ進む。カメラＣＰＵ２６は、選択されているフォーカスポイントに対応する焦点ずれ量が所定範囲を超えている場合（非合焦時）にステップＳ１９を否定判定し、液晶ドライバ回路２４へ合焦マークセグメント３０１の消灯を指示してステップＳ２４へ進む。
【００４８】
ステップＳ２０において、カメラＣＰＵ２６は、全押しスイッチ（レリーズスイッチ）がオンか否かを判定する。カメラＣＰＵ２６は、スイッチセンス回路１５から全押し操作を示す操作情報が入力された場合にステップＳ２０を肯定判定してステップＳ２１へ進み、スイッチセンス回路１５から全押し操作を示す操作情報が入力されていない場合にステップＳ２０を否定判定し、ステップＳ２４へ進む。
【００４９】
ステップＳ２１において、カメラＣＰＵ２６は、オンスクリーン表示制御を行ってステップＳ２２へ進む。この場合のオンスクリーン表示制御は、オンスクリーン表示ドライバ回路２２へ指令を出力し、２つの輝度範囲に対応する領域３３ａ、３４ａと、露出偏差を示す表示３３ｂ、３４ｂとを解除（消灯）するものである。なお、領域３３ａ、領域３４ａ、露出偏差３３ｂおよび露出偏差３４ｂを示す表示が行われていない場合は、ステップＳ２１をスキップする。ステップＳ２２において、カメラＣＰＵ２６は、測光値ロックフラグをクリアしてステップＳ２３へ進む。ステップＳ２３において、カメラＣＰＵ２６は、所定の撮影シーケンス動作を行ってステップＳ２へ戻る。
【００５０】
ステップＳ２４において、カメラＣＰＵ２６は、不図示のレンズ駆動装置にフォーカシング動作を指示してステップＳ２へ戻る。
【００５１】
上述したステップＳ１２を否定判定して進むステップＳ１７において、カメラＣＰＵ２６は、オンスクリーン表示制御を行ってステップＳ１８へ進む。この場合のオンスクリーン表示制御はステップＳ２１と同様であり、領域３３ａ、領域３４ａ、露出偏差３３ｂおよび露出偏差３４ｂを示す表示が行われていない場合はステップＳ１７をスキップする。ステップＳ１８において、カメラＣＰＵ２６は、測光値ロックフラグをクリアしてステップＳ２へ戻る。
【００５２】
新表示処理の詳細について、図６のフローチャートを参照して説明する。図６のステップＳ１０１において、カメラＣＰＵ２６は、露出演算用測光回路９からｎ×ｍ個の輝度情報（測光データ）を改めて取得してステップＳ１０２へ進む。ステップＳ１０２において、カメラＣＰＵ２６は、設定されている表示露出幅データを取得してステップＳ１０３へ進む。ステップＳ１０３において、カメラＣＰＵ２６は、最高輝度領域を検出してステップＳ１０４へ進む。具体的には、ｎ×ｍ個の輝度情報（測光データ）のうち、最高輝度および最高輝度から表示露出幅以内（たとえば、−１．３段）のデータを抽出する。
【００５３】
ステップＳ１０４において、カメラＣＰＵ２６は、最低輝度領域を検出してステップＳ１０５へ進む。具体的には、ｎ×ｍ個の輝度情報（測光データ）のうち、最低輝度および最低輝度から表示露出幅以内（たとえば、＋１．３段）のデータを抽出する。ステップＳ１０５において、カメラＣＰＵ２６はオンスクリーン表示ドライバ回路２２へ指令を出力し、オンスクリーン表示素子１０の画素のうち各抽出データに対応する領域を示す画素の透過率を変化させる。カメラＣＰＵ２６はさらに、露出偏差を示す数値表示３３ｂおよび３４ｂに対応する画素の透過率を変化させ、図６による処理を終了する。
【００５４】
以上説明した実施形態によるカメラでは、以下の作用効果が得られる。
（１）拡散スクリーン１１に重ねてオンスクリーン表示素子１０を設け、拡散スクリーン１１上に結像された被写体像に重ねて最高輝度領域３３ａおよび最低輝度領域３３ｂをオンスクリーン表示した。これによって撮影者は、撮影画面の高輝度領域および低輝度領域を示す情報をファインダー視野３１において同時に得ることができる。輝度情報を得るために測光ポイントを指定（選択）しなくてよいので、撮影者にとって使いやすい。被写体像に重ねて輝度情報を得ることができるので、撮影者にとってわかりやすい。この結果、撮影者は構図決定に集中できる。
【００５５】
（２）高輝度領域および低輝度領域にそれぞれ露出偏差を示す数値表示３３ｂおよび３４ｂを行うようにしたので、撮影者は、カメラ以外の露出計を用いなくても撮影画面内の複数点で輝度情報（露出）を得ることができる。一般に、適正露出は露出演算用測光回路９で取得した画面全体の輝度情報（測光データ）から算出される。図５のような逆光下で撮影する場合、撮影者の意図として、１．人物を露出アンダーにして当該人物を黒いシルエット状にする、２．人物を適正露出にして背景を露出オーバーにする、などが考えられる。セグメント群３０４による露出インジケータからは特定の領域に関して露出偏差を表示することができないので、撮影者は、画面全体として＋側に０．５段露出オーバーすることがわかるだけで、人物がどの程度露出アンダーなのかがわからない。これに対して本発明による表示では、高輝度領域および低輝度領域の露出偏差をそれぞれ数値表示したので、露出を±どちらの方向へ何段階補正すれば所望する露出が得られるかの判断が容易になる。図５による表示状態において、人物を適正露出にするためには＋方向へ２段補正すればよく（現−２．０を０．０にする）、この場合に夕日周辺は＋５．５段露出オーバーになる（＋３．５が＋５．５になる）ことがわかる。
【００５６】
（３）高輝度領域および低輝度領域の表示露出幅を可変にしたので、各領域の面積を適切な大きさにすることができる。これにより、表示領域が狭すぎて点状になったり、表示領域が広すぎて撮影画面の大半を占めることを防止できる。
【００５７】
以上の説明では、高輝度領域および低輝度領域の２つについて表示するようにしたが、たとえば、上記２つの中間輝度領域も表示するようにしてもよい。
【００５８】
各輝度領域ごとにオンスクリーン表示素子１０の画素透過率を変化させて階調表示を行うようにしてもよい。
【００５９】
上述したカメラは、露出モードがＭ（マニュアルモード）に設定されている場合に高輝度領域および低輝度領域の表示を行うようにしたが、他の露出モードの場合にも表示させるようにしてもよい。
【００６０】
オンスクリーン表示素子１０は、透過型液晶表示素子によって構成する他に、透明ＥＬディスプレイを用いて構成してもよい。
【００６１】
露出制御用測光回路９の測光素子をＣＣＤイメージセンサで構成する例を示したが、撮影画面を多分割して測光する素子であれば、他の測光素子でもよい。
【００６２】
特許請求の範囲における各構成要素と、発明を実施するための最良の形態における各構成要素との対応について説明する。輝度検出手段は、たとえば、露出制御用測光回路９によって構成される。輝度情報生成手段、合成手段、露出演算手段は、たとえば、カメラＣＰＵ２６によって構成される。輝度情報は、たとえば、最高輝度領域３３ａおよび最低輝度領域３４ａが対応する。オンスクリーン表示手段は、たとえば、オンスクリーン表示素子１０およびオンスクリーン表示ドライバ回路２２によって構成される。所定範囲の輝度は、たとえば、表示露出幅が対応する。なお、本発明の特徴的な機能を損なわない限り、各構成要素は上記構成に限定されるものではない。
【図面の簡単な説明】
【００６３】
【図１】本発明の一実施の形態によるカメラの構成を示す図である。
【図２】図１のカメラの制御系を説明するブロック図である。
【図３】カメラＣＰＵで行われるカメラ動作処理の流れを説明するフローチャートである。
【図４】オンスクリーン合成後の被写体像とファインダー内表示素子による表示とを説明する図である。
【図５】新表示処理後の被写体像とファインダー内表示素子による表示とを説明する図である。
【図６】新表示処理の詳細を説明するフローチャートである。
【符号の説明】
【００６４】
１…カメラボディ
２…撮影レンズ
７…焦点検出回路
９…露出制御用測光回路
１０…オンスクリーン表示素子
１５…スイッチセンス回路
２２…オンスクリーン表示ドライバ回路
２４…液晶ドライバ回路
２５…ファインダー内表示素子
２６…カメラＣＰＵ
３１…ファインダー視野
３３ａ…最高輝度領域
３３ｂ…最低輝度領域
３４ａ、３４ｂ…露出偏差を示す数値表示
【図１】
2005078002.tif 000003
【図２】
2005078002.tif 000004
【図３】
2005078002.tif 000005
【図４】
2005078002.tif 000006
【図５】
2005078002.tif 000007
【図６】
2005078002.tif 000008